(57)【要約】      （修正有）【課題】登録された受講者の認証情報以外のもうひとつの鍵の役目をする記録媒体を受講者に使用させることで、受講者の不正アクセスを防止する。【解決手段】受講者が利用する受講者端末１２０と、各種の本学習講座情報と各種の体験学習講座情報を配信する講座情報配信サーバ１３０と、受講者端末１２０からの認証情報の入力を受信して正規の認証情報と確認した場合には認証確認情報を受講者端末１２０へ送信する認証情報確認サーバ１１１と、認証確認情報を受信した受講者端末１２０からのパスワードの入力を受信して正規のパスワードと確認した場合には講座情報配信サーバ１３０へ自動的にログイン１５０を可能にするパスワード確認サーバ１１２とを有する認証局１１０とが電子通信回線を介して接続され、受講者端末１２０は予め認証情報が記憶された記録媒体１４０がセットされると、認証情報が認証情報確認サーバ１１１へ送信される。【選択図】図１
2008065754.tif 000002
【特許請求の範囲】
【請求項１】
受講者が利用する受講者端末と、
各種の本学習講座情報と各種の体験学習講座情報を配信する講座情報配信サーバと、
前記受講者端末からの認証情報の入力を受信して正規の認証情報と確認した場合には認証確認情報を前記受講者端末へ送信する認証情報確認サーバと、前記認証確認情報を受信した前記受講者端末からのパスワードの入力を受信して正規のパスワードと確認した場合には前記講座情報配信サーバへ自動的にログインを可能にするパスワード確認サーバとを有する認証局と、
が電子通信回線を介して接続され、
前記受講者端末には記録媒体がセットされ、
前記記録媒体には、予め認証情報が記憶されており、
前記記録媒体を前記受講者端末へセットすると認証情報が前記認証情報確認サーバへ送信され、
前記受講者端末は、前記認証情報確認サーバからの認証確認情報を受信し、
前記受講者端末へパスワードを入力して送信することによって、前記パスワード確認サーバは、前記パスワードを受信して正規のパスワードと確認した場合に前記講座情報配信サーバの講座配信サイトへ自動的にログインを可能にすることを特徴とする講座学習システム。
【請求項２】
前記記録媒体は、
ＵＳＢフラッシュメモリであることを特徴とする請求項１に記載の講座学習システム。
【請求項３】
前記認証局へ管理者端末が接続され、
前記管理者端末から管理者が前記記録媒体の使用を管理することを特徴とする請求項１または請求項２に記載の講座学習システム。
【請求項４】
前記講座情報配信サーバには、前記記録媒体を使用する使い方プログラムが予め記憶されており、
前記受講者端末から前記使い方プログラムをダウンロードし、
前記ダウンロードした前記使い方プログラムをインストールして前記記録媒体を使用可能にすることを特徴とする請求項１乃至請求項３のいずれか１項に記載の講座学習システム。
【請求項５】
受講者が利用する受講者端末と、
各種の本学習講座情報と各種の体験学習講座情報を配信するサーバと、
が電子通信回線を介して接続され、
前記サーバは、
前記受講者端末から本登録された認証情報が入力されたときに前記本学習講座情報を配信し、
前記受講者端末からモニタ登録された認証情報が入力されたときに前記体験学習講座情報を配信する講座学習システムであり、
前記受講者端末にセットされる記録媒体を含み、
前記記録媒体には、モニタ登録された認証情報が付され、
前記記録媒体は、
前記受講者端末より前記モニタ登録された認証情報を受付けて前記サーバに送信するプログラムと、
前記モニタ登録された認証情報が前記サーバで認められるときログインを可能とするプログラムと、
前記ログインにより前記体験学習講座情報の受信を可能とするプログラムと、
前記ログインにより前記本学習講座情報の受信を可能とするプログラムと、 
を有することを特徴とする講座学習システム。
【請求項６】
前記記録媒体は、
前記ログインにより前記本学習講座情報の申し込みを可能とするプログラムを有することを特徴とする請求項５に記載の講座学習システム。
【請求項７】
前記記録媒体は、包装体で包装され、
前記包装体は、開閉可能な蓋部分を有し、
前記蓋部分で隠れる部位に前記モニタ登録された認証情報が付されていることを特徴とする請求項５または請求項６に記載の講座学習システム。
【請求項８】
受講者が利用する受講者端末と、
各種の本学習講座情報と各種の体験学習講座情報を配信するサーバと、
が電子通信回線を介して接続され、
前記サーバは、
前記受講者端末から本登録された認証情報が入力されたときに前記本学習講座情報を配信し、
前記受講者端末からモニタ登録された認証情報が入力されたときに前記体験学習講座情報を配信する講座学習システムに用いられる記録媒体であり、
前記記録媒体は、前記受講者端末にセット可能で、モニタ登録された認証情報が付され、
前記受講者端末より前記モニタ登録された認証情報を受付けて前記サーバに送信するプログラムと、
前記モニタ登録された認証情報が前記サーバで認められるときログインを可能とするプログラムと、
前記ログインにより前記体験学習講座情報の受信を可能とするプログラムと、
前記ログインにより前記本学習講座情報の受信を可能とするプログラムと、 
を有することを特徴とする記録媒体。
【請求項９】
前記記録媒体は、
前記ログインにより前記本学習講座情報の申し込みを可能とするプログラムを有することを特徴とする請求項８に記載の記録媒体。
【請求項１０】
前記記録媒体は、包装体で包装され、
前記包装体は、開閉可能な蓋部分を有し、
前記蓋部分で隠れる部位に前記モニタ登録された認証情報が付されていることを特徴とする請求項８または請求項９に記載の記録媒体。
【発明の詳細な説明】
【技術分野】
【０００１】
この発明は、受講者より入力された認証情報で各種の習講座情報を配信可能にする講座学習システム及び記録媒体に関する。
【背景技術】
【０００２】
従来、登録された受講者は認証情報を受講者端末より入力し、この認証情報を認証することにより学習用ネットワークにログインし、サーバから学習用のコンテンツを受講者端末に呼び出し、受講に必要な講義映像を、何時でも、何処でも、何回でも、自由に各人の受講者端末にて視聴学習ができるようになっている（特許文献１）。
【特許文献１】特開２００６−３１６００号公報
【発明の開示】
【発明が解決しようとする課題】
【０００３】
しかしながら、登録された受講者の認証情報が口伝えなどによって他人に漏洩されると、登録会員でない受講者でも視聴学習が可能であり、結果的には不正アクセスを助長することとなり、有料会員の講座学習システムの前提条件が不完全なものとなる虞がある。
【０００４】
この発明は、かかる問題点に鑑みなされたもので、登録された受講者の認証情報以外のもうひとつの鍵の役目をする記録媒体を受講者に使用させることで、受講者の不正アクセスを防止する講座学習システム及び記録媒体を提供することを目的とする。
【課題を解決するための手段】
【０００５】
前記課題を解決し、かつ目的を達成するために、この発明は、以下のように構成されている。
【０００６】
請求項１に記載の発明は、
受講者が利用する受講者端末と、
各種の本学習講座情報と各種の体験学習講座情報を配信する講座情報配信サーバと、
前記受講者端末からの認証情報の入力を受信して正規の認証情報と確認した場合には認証確認情報を前記受講者端末へ送信する認証情報確認サーバと、前記認証確認情報を受信した前記受講者端末からのパスワードの入力を受信して正規のパスワードと確認した場合には前記講座情報配信サーバへ自動的にログインを可能にするパスワード確認サーバとを有する認証局と、
が電子通信回線を介して接続され、
前記受講者端末には記録媒体がセットされ、
前記記録媒体には、予め認証情報が記憶されており、
前記記録媒体を前記受講者端末へセットすると認証情報が前記認証情報確認サーバへ送信され、
前記受講者端末は、前記認証情報確認サーバからの認証確認情報を受信し、
前記受講者端末へパスワードを入力して送信することによって、前記パスワード確認サーバは、前記パスワードを受信して正規のパスワードと確認した場合に前記講座情報配信サーバの講座配信サイトへ自動的にログインを可能にすることを特徴とする講座学習システムである。
【０００７】
請求項２に記載の発明は、
前記記録媒体は、
ＵＳＢフラッシュメモリであることを特徴とする請求項１に記載の講座学習システムである。
【０００８】
請求項３に記載の発明は、
前記認証局へ管理者端末が接続され、
前記管理者端末から管理者が前記記録媒体の使用を管理することを特徴とする請求項１または請求項２に記載の講座学習システムである。
【０００９】
請求項４に記載の発明は、
前記講座情報配信サーバには、前記記録媒体を使用する使い方プログラムが予め記憶されており、
前記受講者端末から前記使い方プログラムをダウンロードし、
前記ダウンロードした前記使い方プログラムをインストールして前記記録媒体を使用可能にすることを特徴とする請求項１乃至請求項３のいずれか１項に記載の講座学習システムである。
【００１０】
請求項５に記載の発明は、
受講者が利用する受講者端末と、
各種の本学習講座情報と各種の体験学習講座情報を配信するサーバと、
が電子通信回線を介して接続され、
前記サーバは、
前記受講者端末から本登録された認証情報が入力されたときに前記本学習講座情報を配信し、
前記受講者端末からモニタ登録された認証情報が入力されたときに前記体験学習講座情報を配信する講座学習システムであり、
前記受講者端末にセットされる記録媒体を含み、
前記記録媒体には、モニタ登録された認証情報が付され、
前記記録媒体は、
前記受講者端末より前記モニタ登録された認証情報を受付けて前記サーバに送信するプログラムと、
前記モニタ登録された認証情報が前記サーバで認められるときログインを可能とするプログラムと、
前記ログインにより前記体験学習講座情報の受信を可能とするプログラムと、
前記ログインにより前記本学習講座情報の受信を可能とするプログラムと、 
を有することを特徴とする講座学習システムである。
【００１１】
請求項６に記載の発明は、
前記記録媒体は、
前記ログインにより前記本学習講座情報の申し込みを可能とするプログラムを有することを特徴とする請求項５に記載の講座学習システムである。
【００１２】
請求項７に記載の発明は、
前記記録媒体は、包装体で包装され、
前記包装体は、開閉可能な蓋部分を有し、
前記蓋部分で隠れる部位に前記モニタ登録された認証情報が付されていることを特徴とする請求項５または請求項６に記載の講座学習システムである。
【００１３】
請求項８に記載の発明は、
受講者が利用する受講者端末と、
各種の本学習講座情報と各種の体験学習講座情報を配信するサーバと、
が電子通信回線を介して接続され、
前記サーバは、
前記受講者端末から本登録された認証情報が入力されたときに前記本学習講座情報を配信し、
前記受講者端末からモニタ登録された認証情報が入力されたときに前記体験学習講座情報を配信する講座学習システムに用いられる記録媒体であり、
前記記録媒体は、前記受講者端末にセット可能で、モニタ登録された認証情報が付され、
前記受講者端末より前記モニタ登録された認証情報を受付けて前記サーバに送信するプログラムと、
前記モニタ登録された認証情報が前記サーバで認められるときログインを可能とするプログラムと、
前記ログインにより前記体験学習講座情報の受信を可能とするプログラムと、
前記ログインにより前記本学習講座情報の受信を可能とするプログラムと、 
を有することを特徴とする記録媒体である。
【００１４】
請求項９に記載の発明は、
前記記録媒体は、
前記ログインにより前記本学習講座情報の申し込みを可能とするプログラムを有することを特徴とする請求項８に記載の記録媒体である。
【００１５】
請求項１０に記載の発明は、
前記記録媒体は、包装体で包装され、
前記包装体は、開閉可能な蓋部分を有し、
前記蓋部分で隠れる部位に前記モニタ登録された認証情報が付されていることを特徴とする請求項８または請求項９に記載の記録媒体である。  
【発明の効果】
【００１６】
前記構成により、この発明は、以下のような効果を有する。
【００１７】
請求項１に記載の発明では、記録媒体には、予め認証情報が記憶されており、記録媒体を受講者端末へセットすることによって記録媒体に記憶された認証情報が受講者端末へ入力され、認証情報確認サーバは、受講者端末からの認証情報の入力を受信して正規の認証情報と確認した場合には認証確認情報を受講者端末へ送信する。認証確認情報を受信した受講者端末へパスワードを入力して送信することによって、パスワード確認サーバはパスワードの入力を受信して正規のパスワードと確認した場合には講座情報配信サーバの講座配信サイトへ自動的にログインを可能とするから、記録媒体を有する受講者のみが体験学習講座情報または本学習講座情報を受信でき、記録媒体がもうひとつの鍵の役目をすることで、受講者の不正アクセスを防止することができる。
【００１８】
請求項２に記載の発明では、記録媒体がＵＳＢフラッシュメモリであり、例えばＵＳＢフラッシュメモリを回収して何度でも認証情報の書き換え可能であり、記録媒体を何度でも使用できる。
【００１９】
請求項３に記載の発明では、認証局へ管理者端末が接続されており、管理者端末から管理者が記録媒体の使用を管理することができ、例えば管理者は受講者が何回も入力エラーした場合には即座に使用禁止としたり、あるいは予め使用期限を設定したり、記録媒体の管理を簡単かつ確実に行うことができる。
【００２０】
請求項４に記載の発明では、講座情報配信サーバには、記録媒体を使用する使い方プログラムが予め記憶されており、受講者は、受講者端末から使い方プログラムをダウンロードし、ダウンロードした使い方プログラムをインストールし、簡単に記録媒体を使用可能にすることができる。
【００２１】
請求項５及び請求項８に記載の発明では、受講者端末に記録媒体をセットし、モニタ登録された認証情報をサーバに送信し、モニタ登録された認証情報がサーバで認められるときログインが可能となり、記録媒体を有する受講者のみが体験学習講座情報または本学習講座情報を受信でき、記録媒体がもうひとつの鍵の役目をすることで、受講者の不正アクセスを防止することができる。
【００２２】
請求項６及び請求項９に記載の発明では、記録媒体からのログインにより本学習講座情報の申し込みを可能とすることで、記録媒体がもうひとつの鍵の役目をすることで、受講者の不正アクセスを防止することができる。
【００２３】
請求項７及び請求項１０に記載の発明では、包装体が開閉可能な蓋部分を有し、蓋部分で隠れる部位にモニタ登録された認証情報が付されており、モニタ登録された認証情報が無断に使用されたり、傷付くことが防止される。
【発明を実施するための最良の形態】
【００２４】
以下、この発明の講座学習システム及び記録媒体の実施の形態について説明するが、この発明の実施の形態は、発明の最も好ましい形態を示すものであり、この発明はこれに限定されない。
【００２５】
（第１の実施の形態）
まず、第１の実施の形態を、図１乃至図５に基づいて説明する。図１は、この発明の実施の形態である講座学習システムの概略構成を示すブロック図である。
【００２６】
この講座学習システムの構成は、認証局１１０と、講座情報配信サーバ１３０と、ユーザ、すなわち受講者によって使用される受講者端末１２０と、講座学習システムを管理する管理者によって使用される管理者端末１９０と、記録媒体１４０とを有する。これら認証局１１０、講座情報配信サーバ１３０、受講者端末１２０および管理者端末１９０のそれぞれは通信機能を備えたコンピュータシステムであり、プログラムなどを蓄積する記憶装置、キーボードやマウスおよびマイクロホンなどの入力装置、ＣＲＴやＬＣＤなどの表示装置、外部との通信を行うモデムなどの通信装置、プリンタなどの出力装置および入力装置からの入力を受け付けて通信装置、出力装置、表示装置の動作を制御する制御装置から構成されている。
【００２７】
認証局１１０、講座情報配信サーバ１３０、受講者端末１２０は、通信ネットワーク１１００を介して接続され、認証局１１０に管理者端末１９０が接続されており、受講者端末１２０に対して受講に必要なコンテンツおよび情報を提供する。通信ネットワーク１１００は、インターネットやイントラネットなどの電子通信回線である。
【００２８】
認証局１１０は、認証情報確認サーバ１１１と、パスワード確認サーバ１１２とを有する。認証情報確認サーバ１１１は、例えばＳＳＯサーバなどから構成され、受講者端末１２０からの認証情報の入力を受信して正規の認証情報と確認した場合には認証確認情報を受講者端末１２０へ送信する。正規の認証情報との確認は、管理者端末１９０からの入力により認証情報確認サーバ１１１に予め記憶されている認証情報と、受講者端末１２０から受信した認証情報とを比較して行い、一致する場合は、正規の認証情報と確認するが、一致しない場合にはエラー情報を受講者端末１２０へ送信する。
【００２９】
パスワード確認サーバ１１２は、認証確認情報を受信した受講者端末１２０からのパスワードの入力を受信して正規のパスワードと確認した場合には講座情報配信サーバ１３０へ自動的にログインを可能にする。正規のパスワードとの確認は、管理者端末１９０からの入力によりパスワード確認サーバ１１２に予め記憶されているパスワードと、受講者端末１２０から受信したパスワードとを比較して行い、一致する場合は、正規のパスワードと確認するが、一致しない場合にはエラー情報を受講者端末１２０へ送信する。
【００３０】
講座情報配信サーバ１３０は、各種の本学習講座情報と各種の体験学習講座情報を予め用意しており、アクセスを受け付けた受講者端末２０に対して、講座配信サイト１５０にログインすることで各種の本学習講座情報と各種の体験学習講座情報から必要な講座情報を提供して、受講を可能とする。
【００３１】
受講者端末１２０は、講座を受講する受講者によって使用される端末であって、通常、複数台ある。この受講者端末１２０には記録媒体１４０がセットされ、この記録媒体１４０によって、講座学習システムの講座配信サイト１５０に自動的にログインが可能となる。
【００３２】
管理者端末１９０は、講座学習システムを管理する管理者によって使用される端末であって、記録媒体１４０の管理、講座の内容の変更、受講者へのメールなどを行うために使用される。例えば、管理者端末１９０からの操作により記録媒体１４０の認証情報が認証情報確認サーバ１１１へ予め記憶され、また記録媒体１４０のパスワードがパスワード確認サーバ１１２へ予め記憶される。この実施の形態では、認証情報は管理者が設定し、パスワードはシリアル番号が用いられる。
【００３３】
記録媒体１４０には、予め認証情報が記憶され、パスワードが記録媒体１４０の外部に表記されており、この実施の形態ではＵＳＢフラッシュメモリを用いている。記録媒体１４０を受講者端末１２０へセットすると、受講者端末１２０から記録媒体１４０に記憶された認証情報が認証情報確認サーバ１１１へ送信される。受講者端末１２０は、認証情報確認サーバ１１１から認証確認情報を受信すると、記録媒体１４０の外部に付されているパスワードを見て確認し、記録媒体１４０のパスワードを受講者端末１２０へ入力すると、パスワード確認サーバ１１２へ送信される。パスワード確認サーバ１１２は、正規のパスワードと確認した場合に講座情報配信サーバ１３０の講座配信サイト１５０へ自動的にログインを可能にする。
【００３４】
次に、講座学習システムのセットアップを、図２乃至図４に基づいて説明する。図２は使い方プログラムのダウンロードを説明する図、図３及び図４は使い方プログラムのインストールを説明する図である。
【００３５】
図２において、まず受講者は、受講者端末１２０を起動し、通信ネットワーク１１００のインターネットに接続しブラウザを立ち上げ、画面１２０ａが表示されると、アドレスバー１２０ａ１に例えばhttp：//www.seminet.jp/driverと入力すると、画面１２０ｂに切り替わる。講座情報配信サーバ１３０には、記録媒体１４０を使用する使い方プログラムが予め記憶されており、ダウンロードのアイコン１２０ｂ１をクリックすると、ファイルのダウンロードの画面１２０ｃが現れる。この画面１２０ｃの「保存」ボタン１２０ｃ１をクリックすると、受講者端末１２０のディスクトップ上にseminet.zipファイルを保存することができ、このようにして受講者端末１２０に使い方プログラムをダウンロードする。
【００３６】
そして、このダウンロードした使い方プログラムをインストールして記録媒体１４０を使用可能にするには、図３において、受講者端末１２０のディスクトップ上に保存したseminet.zipファイル１２０ｄをダブルクリックしファイルを実行する。この実行後PUB2100-DRVフォルダの画面１２０ｅが生成されますので、同じくPUB2100-DRV１２０ｅ１をダブルクリックし、次にsetup.exe１２０ｅ２をダブルクリックすると、画面１２０ｆが表示される。この画面１２０ｆにおいて、パスワードの窓１２０ｆ１に「pentio2132-1」１２０ｆ２のパスワードを入力する。
【００３７】
このパスワードの入力によって記憶媒体１４０のインストールウィザードの画面１２０ｇが表示され、「次へ」ボタン１２０ｇ１をクリックすると、画面１２０ｈが表示される。Ｗｅｌｃｏｍｅ  to StaｒＫey 100 Setup Wizardと英語で表示されるが、「Ｎext」ボタン１２０ｈ１をクリックすると、画面１２０ｉが表示される。この画面１２０ｉでは、同じくＳｅｔｕｐ  Ｗizard Cｏｍｐｌｅｔｅと英語で表示されるが、「Ｆinish」ボタン１２０ｉ１をクリックすると、次に設定言語の選択画面１２０ｊが表示され、「日本語」ボタン１２０ｊ１を選択し、次へのボタン１２０ｊ２をクリックすると、図４に示す画面１２０ｋが表示される。
【００３８】
このSｅｆｅ  Ｓineのインストールの画面１２０ｋの「次へ」ボタン１２０ｋ１をクリックすると、ソフトウエアの使用許諾契約書の同意画面１２０ｌが表示され、「はい」ボタン１２０ｌ１をクリックすると、次にソフトウエアのインストール先フォルダの選択画面１２０ｍが表示される。この選択画面１２０ｍにおいて、そのまま「次へ」ボタン１２０ｍ１をクリックすると、セットアップタイプの選択画面１２０ｎが表示され、そのまま「標準」ボタン１２０ｎ１を選択し、「次へ」ボタン１２０ｎ２をクリックすると、次にプログラムフォルダの選択画面１２０ｏが表示される。
【００３９】
このプログラムフォルダの選択画面１２０ｏにおいて、「次へ」ボタン１２０ｏ１をクリックすると、最後にＳefeSignセットアップの完了画面１２０ｐが表示される。この完了画面１２０ｐにおいて、「はい，今すぐコンピュータを再起動します。」ボタン１２０ｐ１を選択し、「完了」ボタン１２０ｐ２をクリックすると、ソフトウェアのインストールは終了する。
【００４０】
このように、講座情報配信サーバ１３０には、記録媒体１４０を使用する使い方プログラムが予め記憶されており、受講者は、受講者端末１２０から使い方プログラムをダウンロードし、ダウンロードした使い方プログラムをインストールし、簡単に記録媒体１４０を使用可能にすることができる。
【００４１】
次に、記録媒体１４０であるＵＳＢフラッシュメモリ１４０ａのセットアップを、図５に基づいて説明する。記録媒体１４０であるＵＳＢフラッシュメ１４０ａを所有する受講者は、受講者端末１２０のパソコンのＵＳＢ接続口に挿入する。受講者端末１２０のパソコンは、緑色のランプが点滅を終えてからインターネットに接続し、プラウザを立ち上げ画面１２０ｑのアドレスバー１２０ｑ１にｈttp：//www.seminet.jpを入力すると、記録媒体１４０に記憶された認証情報が送信され、認証情報確認サーバ１１１は、受講者端末１２０からの認証情報の入力を受信して確認した場合には認証確認情報を受講者端末１２０へ送信しクライアント認証画面１２０ｑ２が表示される。
【００４２】
このクライアント認証画面１２０ｑ２の「ＯＫ」ボタン１２０ｑ３をクリックすると、次にＰＩＮ入力の表示画面１２０ｒが表示される。記録媒体１４０であるＵＳＢフラッシュメ１４０ａに付いているパスワードである認証番号をＰＩＮ入力欄１２０ｒ１に入力し、［ＯＫ］ボタン１２０ｒ２をクリックすると、パスワード確認サーバ１１２は認証確認情報を受信した受講者端末１２０からのパスワードの入力を受信して確認した場合には講座情報配信サーバ１３０の講座配信サイトへ自動的にログインができ、例えばラーニングサイトに接続され、このようにして記録媒体１４０であるＵＳＢフラッシュメモリ１４０ａのセットアップが終了する。
【００４３】
すなわち、記録媒体１４０には、予め認証情報が記憶されており、記録媒体１４０のであるＵＳＢフラッシュメモリ１４０ａを受講者端末１２０へセットし、記録媒体１４０に記憶された認証情報が受講者端末１２０へ入力されて送信可能であり、認証情報確認サーバ１１０は、受講者端末１２０からの認証情報の入力を受信して確認した場合には認証確認情報を受講者端末１２０へ送信する。認証確認情報を受信した受講者端末１２０へパスワードを入力して送信することによって、パスワード確認サーバ１１２はパスワードの入力を受信して正規のパスワードと確認した場合には講座情報配信サーバ１３０の講座配信サイトへ自動的にログインを可能とするから、記録媒体１４０を有する受講者のみが体験学習講座情報または本学習講座情報を受信でき、記録媒体１４０がもうひとつの鍵の役目をすることで、受講者の不正アクセスを防止することができる。
【００４４】
また、記録媒体１４０がＵＳＢフラッシュメモリ１４０ａであり、例えばＵＳＢフラッシュメモリ１４０ａを回収して何度でも認証情報が書き換え可能であり、記録媒体１４０を何度でも使用できる。
【００４５】
また、認証局１１０へ管理者端末１９０が接続されており、管理者端末１９０から管理者が記録媒体１４０の使用を管理することができる。例えば、管理者は管理者端末１９０から認証情報確認サーバ１１０へアクセスして、受講者が何回も入力エラーした場合には、管理者端末１９０から即座に記録媒体１４０の使用禁止としたり、あるいは予め記録媒体１４０の使用期限を設定したり、記録媒体１４０の管理を簡単かつ確実に行うことができる。
【００４６】
また、管理者は、同様にパスワード確認サーバ１１２ｈアクセスしてパスワードの使用を禁止したり、使用期間を制限したりすることができる。
【００４７】
（第２の実施の形態）
次に、第２の実施の形態を、図６乃至図２６に基づいて説明する。図６は、この発明の実施の形態である講座学習システムの概略構成を示すブロック図である。この講座学習システムの構成は、サーバ１０と、ユーザ、すなわち受講者によって使用される受講者端末２０と、講座学習システムを管理する管理者によって使用される管理者端末９０からなる。これらサーバ１０、受講者端末２０および管理者端末９０のそれぞれは通信機能を備えたコンピュータシステムであり、プログラムなどを蓄積する記憶装置、キーボードやマウスおよびマイクロホンなどの入力装置、ＣＲＴやＬＣＤなどの表示装置、外部との通信を行うモデムなどの通信装置、プリンタなどの出力装置および入力装置からの入力を受け付けて通信装置、出力装置、表示装置の動作を制御する制御装置から構成されている。
【００４８】
サーバ１０は、受講者端末２０、管理者端末９０と通信ネットワーク１００を介して接続されており、各端末に対して受講に必要なコンテンツおよび情報を提供する。通信ネットワーク１００は、インターネットやイントラネットなどである。
【００４９】
サーバ１０は、各種の本学習講座情報と各種の体験学習講座情報が予め用意されており、アクセスを受け付けた端末に対して、必要な講座情報を提供して、受講を可能とする。
【００５０】
受講者端末２０は、講座を受講する受講者によって使用される端末であって、通常、複数台ある。この受講者端末２０には記録媒体３０がセットされ、この記録媒体３０に書き込まれたプログラムを実行することで、講座学習システムにログイン可能となる。記録媒体３０として、例えばＣＤ−ＲＯＭが使用されている。
【００５１】
管理者端末９０は、講座学習システムを管理する管理者によって使用される端末であって、通常、講座の内容の変更、受講者へのメールなどを行うために使用される。
【００５２】
図７に、サーバ１０の主要部の構成を示す。図７を参照すると、サーバ１０の主要部は、受講者が受講する教育に関する情報を管理する管理システム１１と、予め用意された各種の本学習講座情報と各種の体験学習講座情報を提供して受講を行わせる学習システム１２と、講座情報やそれに関連する情報が格納される記憶部１７とからなる。
【００５３】
管理システム１１および学習システム１２により提供される具体的な機能としては、基本教育機能などがあり、基本教育機能は、多数の受講者（学習者）が動画や音声と同期のとられた教育資料などを自由な時間に視聴し、疑問点について質疑事例検索を行ったり、直接の質疑応答を行ったりすることが可能な、双方向性を持つ学習機能である。  記憶部１７には、制御情報１３、講座コンテンツ１４が格納される。講座コンテンツ１４は、予め導入あるいは作製されたものであり、本学習講座情報及び体験学習講座情報などを有する。制御情報１３は、講座コンテンツ１４を用いて教育を行う際に必要となる情報であり、受講者端末２０から本登録された認証情報が入力されたときに本学習講座情報を配信する制御情報、受講者端末２０からモニタ登録された認証情報が入力されたときに体験学習講座情報を配信する制御情報を含む。
【００５４】
図８乃至図１３は、講座コンテンツの一例と示す図である。講座を受講する受講者は、受講者端末２０を用いて、図８に示すサーバ１０のブロードバンド教育講座サイトにアクセスし、ログインボタン２０ａをクリックすると、図９のログイン画面が表示される。ログイン画面から本登録された認証情報であるユーザ名２０ｂと、パスワード２０ｃを入力し、スタートボタン２０ｄをクリックすると、図１０の講座一覧画面が表示される。講座一覧画面から受講しようとする講座を選択すると、図１１の受講画面が表示される。受講画面から学習ボタン２０ｅをクリックすると、図１２の目録画面が表示される。目録画面から例えば、経済の常識のボタン２０ｆをクリックすると、図１３の画面が表示されて受講者（学習者）が動画や音声と同期のとられた講座を自由な時間に視聴することができる。
【００５５】
図１４は、記録媒体３０の構成を示す図である。記録媒体３０は、ＣＤ−ＲＯＭで構成され、この記録媒体３０は例えば樹脂で形成されたケース３１に収納され、ケース３１は包装体３２で包装される。包装体３２は、例えば厚紙で形成され、ケース３１が挿入される本体部分３２ａと、開閉可能な蓋部分３２ｂを有し、蓋部分３２ｂは例えば面ファスナー３２ｄで開閉される。本体部分３２ａの蓋部分３２ｂで隠れる部位には、予めモニタ登録された認証情報４０が付されている。また、包装体３２の蓋部分３２ｂの裏側や本体部分３２ａの蓋部分３２ｂで隠れる部位に、記録媒体３０の取り扱い、講座学習システムの特徴、講座の案内などの情報が記録されている。このように、包装体３２が開閉可能な蓋部分３２bを有し、蓋部分３２bで隠れる部位に、モニタ登録された認証情報４０が付されており、モニタ登録された認証情報４０が無断に使用されたり、傷付くことが防止される。
【００５６】
図１５は、記録媒体３０に記録された情報を示す図である。この記録媒体３０には、アクセスを開始するプログラム３０ａと、使用許諾を確認するプログラム３０ｂと、受講者端末２０よりモニタ登録された認証情報４０を受付けてサーバ１０に送信するプログラム３０ｃと、モニタ登録された認証情報４０がサーバ１０で認められるときログインを可能とするプログラム３０ｄと、ログインにより本学習講座情報の受信を可能とするプログラム３０ｅと、ログインにより体験学習講座情報の受信を可能とするプログラム３０ｆと、ログインにより本学習講座の申し込みの受信を可能とするプログラム３０ｇと、 総まとめ体験版視聴登録の受信を可能とするプログラム３０ｈとを有している。この記録媒体３０は、受講者端末２０にセットされ、受講者端末２０の操作によって記録媒体３０に記録されているプログラムを実行し、ログインされる。
【００５７】
以下、受講者が、記録媒体３０を用いて講座学習システムにログインして受講する場合の処理の流れについて、図１６乃至図２６に基づいて説明する。
【００５８】
まず、受講者は、図８に示す記録媒体３０を購入し、受講者が使用する受講者端末２０に記録媒体３０をセットすると、記録媒体３０のアクセスを開始するプログラム３０ａが実行され（ステップＳ１００）、受講者端末２０には、図１７に示す開始画面５０が表示される。開始画面５０のクリックボタン５０ａをクリックすると、使用許諾を確認するプログラム３０ｂが実行され（ステップＳ１１１）、図１８に示す使用許諾画面５１が表示される。使用許諾画面５１には、同意するボタン５１ａと、同意しないボタン５１ｂがあり、同意するボタン５１ａをクリックすると、受講者端末20よりモニタ登録された認証情報を受付けてサーバ１０に送信するプログラム３０ｃが実行され（ステップＳ１１２）、図１９に示すログイン画面５２が表示される。
【００５９】
ログイン画面５２には、ログインＩＤの入力窓５２ａと、パスワードの入力窓５２ｂがあり、さらにログインボタン５２ｃがある。受講者は、図８に示す記録媒体３０の包装体３２に予めモニタ登録された認証情報４０の「ｓｅｍｉｎｅｔ」をログインＩＤの入力窓５２ａに入力し、「ｌｏｇｏｎ」をパスワードの入力窓５２ｂに入力し、ログインボタン５２ｃをクリックしてサーバ１０に対してアクセス要求を行う（ステップＳ１１３）。サーバ１０は、アクセス要求を受け付けると、受講者端末２０に対してログインを可能にし（ステップＳ２２０）、図２０に示すメニュー画面５３が表示される（ステップＳ１１４）。
【００６０】
メニュー画面５３には、サーバ１０のブロードバンド教育講座サイトにリンクするリンクボタン５３ａ、サンプル講座ボタン５３ｂとして例えば簿記講座サンプル映像選択ボタン５３ｂ１、ビジネス講座サンプル映像選択ボタン５３ｂ２、本講座申込みボタン５３ｃ及び総まとめ体験版視聴登録ボタン５３ｄが表示されている。
【００６１】
リンクボタン５３ａをクリックすると（ステップＳ１１５）、サーバ１０のブロードバンド教育講座サイトにリンクし、リンクボタン５３ａの入力が確認されると（ステップＳ２２１）、受講者端末２０の画面に図８に示すブロードバンド教育講座サイトのトップページが表示される（ステップＳ１１６）。受講者が予め本登録された認証情報を有する場合は、図８乃至図１３に示すように受講者端末２０から本登録された認証情報を入力してブロードバンド教育講座サイトから本学習講座情報の配信を受けて学習することができる。
【００６２】
サンプル講座ボタン５３ｂとして例えば簿記講座サンプル映像選択ボタン５３ｂ１をクリックすると（ステップＳ１１７）、サーバ１０のブロードバンド教育講座サイトにリンクし、簿記講座サンプル映像選択ボタン５３ｂ１の入力が確認されると（ステップＳ２２２）、受講者端末２０の画面に図２１に示す簿記講座サンプル映像５３ｂ１１が表示される（ステップＳ１１８）。
【００６３】
また、例えばビジネス講座サンプル映像選択ボタン５３ｂ２をクリックすると（ステップＳ１１９）、サーバ１０のブロードバンド教育講座サイトにリンクし、ビジネス講座サンプル映像選択ボタン５３ｂ２の入力が確認されると（ステップＳ２２３）、受講者端末２０の画面に図２２に示すビジネス講座サンプル映像５３ｂ２１が表示される（ステップＳ１２０）。
【００６４】
本講座申込みボタン５３ｃをクリックすると（ステップＳ１２１）、サーバ１０のブロードバンド教育講座サイトにリンクし、本講座申込みボタン５３ｃの入力が確認されると（ステップＳ２２４）、受講者端末２０の画面に図２３に示す本講座申込みフォームが表示される。この本講座申込みフォームに記入して送信すると、管理者が管理者端末９０から図２４に示す本講座受講登録完了返信メールにより、アクセスするＵＲＬ、ログインするための本登録された認証情報、視聴期間などを送信する。受講者は、この本講座受講登録完了返信メールを受け取ることで、図８乃至図１３に示すように受講者端末２０から本登録された認証情報を入力してブロードバンド教育講座サイトから本学習講座情報の配信を受けて学習することができる。
【００６５】
総まとめ体験版視聴登録ボタン５３ｄをクリックすると（ステップＳ１２３）、サーバ１０のブロードバンド教育講座サイトにリンクし、総まとめ体験版視聴登録ボタン５３ｄの入力が確認されると（ステップＳ２２５）、受講者端末２０の画面に図２５に示す総まとめ体験版視聴登録申込みフォームが表示される（ステップＳ１２４）。この本講座申込みフォームに記入して送信すると、管理者が管理者端末９０から図２６に示す総まとめ体験版視聴登録返信メールにより、アクセスするＵＲＬ、ログインするための認証情報、モニタ期間などを送信する。受講者は、この総まとめ体験版視聴登録返信メールを受け取ることで、受講者端末２０から本登録された認証情報を入力してブロードバンド教育講座サイトから総まとめ体験版の配信を受けて学習することができる。
【００６６】
このように、受講者端末２０に記録媒体３０をセットし、モニタ登録された認証情報４０をサーバ１０に送信し、モニタ登録された認証情報４０がサーバ１０で認められるときログインが可能となり、体験学習講座情報または本学習講座情報を受信でき、記録媒体３０がもうひとつの鍵の役目をすることで、受講者の不正アクセスを防止することができる。また、記録媒体３０からのログインにより本学習講座情報の申し込みを可能とすることで、記録媒体３０がもうひとつの鍵の役目をすることで、受講者の不正アクセスを防止することができる。
【００６７】
以上説明したこの実施の形態の講座学習システムのサーバ、受講者端末および管理者端末における各処理は、基本的には、予め用意されているプログラムをサーバコンピュータ、受講者コンピュータおよび管理者コンピュータのそれぞれが実行することで実現される。
【００６８】
なお、上述した実施の形態の講座学習システムは、この発明の一例であって、その構成および動作は、発明の趣旨を逸脱しない範囲で適宜変更することが可能である。
【産業上の利用可能性】
【００６９】
この発明は、受講者より入力された認証情報で各種の習講座情報を配信可能にする講座学習システム及び記録媒体に適用でき、登録された受講者の認証情報以外のもうひとつの鍵の役目をする記録媒体を受講者に使用させることで、受講者の不正アクセスを防止することが可能である。
【図面の簡単な説明】
【００７０】
【図１】講座学習システムの概略構成を示すブロック図である。
【図２】使い方プログラムのダウンロードを説明する図である。
【図３】使い方プログラムのインストールを説明する図である。
【図４】使い方プログラムのインストールを説明する図である。
【図５】記録媒体のセットアップを説明する図である。
【図６】講座学習システムの概略構成を示すブロック図である。
【図７】サーバの主要部の構成を示す図である。
【図８】ブロードバンド教育講座サイトの開始画面を示す図である。
【図９】ログイン画面を示す図である。
【図１０】講座一覧画面を示す図である。
【図１１】受講画面を示す図である。
【図１２】目録画面を示す図である。
【図１３】講義画面を示す図である。
【図１４】記録媒体の構成を示す図である。
【図１５】記録媒体に記録された情報を示す図である。
【図１６】記録媒体を用いて講座学習システムにログインして受講する場合のフローチャートである。
【図１７】開始画面を示す図である。
【図１８】使用許諾画面を示す図である。
【図１９】ログイン画面を示す図である。
【図２０】メニュー画面を示す図である。
【図２１】簿記講座サンプル映像を示す図である。
【図２２】ビジネス講座サンプル映像を示す図である。
【図２３】本講座申込みフォームを示す図である。
【図２４】本講座受講登録完了返信メールを示す図である。
【図２５】総まとめ体験版視聴登録申込みフォームを示す図である。
【図２６】総まとめ体験版視聴登録返信メールを示す図である。
【符号の説明】
【００７１】
1０   サーバ
１１  管理システム  
１２  学習システム
１７  記憶部
２０   受講者端末
３０  記録媒体
３０ａ  アクセスを開始するプログラム
３０ｂ  使用許諾を確認するプログラム
３０ｃ  受講者端末よりモニタ登録された認証情報を受付けてサーバに送信するプログラム
３０ｄ  モニタ登録された認証情報がサーバで認められるときログインを可能とするプログラム
３０ｅ ログインにより本学習講座情報の受信を可能とするプログラム
３０f  ログインにより体験学習講座情報の受信を可能とするプログラム
３０g ログインにより本学習講座の申し込みの受信を可能とするプログラム
３０ｈ 総まとめ体験版視聴登録の受信を可能とするプログラム
３１  ケース
３２  包装体
３２ａ 本体部分
３２ｂ 蓋部分
３２ｄ 面ファスナー
４０  モニタ登録された認証情報
９０  管理者端末
１００  通信ネットワーク
１１０  認証局
１１１  認証情報確認サーバ
１１２  パスワード確認サーバ  
１２０  受講者端末
１３０  講座情報配信サーバ
１４０  記録媒体  
１４０ａ  ＵＳＢフラッシュメモリ
１５０  自動的なログイン
１９０  管理者端末
１１００  通信ネットワーク
【図１】
2008065754.tif 000003
【図２】
2008065754.tif 000004
【図３】
2008065754.tif 000005
【図４】
2008065754.tif 000006
【図５】
2008065754.tif 000007
【図６】
2008065754.tif 000008
【図７】
2008065754.tif 000009
【図８】
2008065754.tif 000010
【図９】
2008065754.tif 000011
【図１０】
2008065754.tif 000012
【図１１】
2008065754.tif 000013
【図１２】
2008065754.tif 000014
【図１３】
2008065754.tif 000015
【図１４】
2008065754.tif 000016
【図１５】
2008065754.tif 000017
【図１６】
2008065754.tif 000018
【図１７】
2008065754.tif 000019
【図１８】
2008065754.tif 000020
【図１９】
2008065754.tif 000021
【図２０】
2008065754.tif 000022
【図２１】
2008065754.tif 000023
【図２２】
2008065754.tif 000024
【図２３】
2008065754.tif 000025
【図２４】
2008065754.tif 000026
【図２５】
2008065754.tif 000027
【図２６】
2008065754.tif 000028